(57)【要約】【課題】連続洗浄性を向上するとともに、止水機構の故障時にタンク内の水が溢れ出ることを抑制することのできる水洗大便器装置を提供する。【解決手段】水洗大便器装置は、ジェット水の進路を遮蔽してジェット水の進行方向を、スロート管３２０の内部からスロート管３２０の外部へと切り替えることで止水位までタンク２０内に水を供給する進行方向切替部３５０を備え、この進行方向切替部３５０は、タンク給水時において、タンク２０内の水が止水位となるまではジェット水がスロート管３２０から排出されることを抑制するよう構成される一方で、タンク２０内の水がスロート管３２０の内部に流入することを許容するよう吸引口３２１との間にタンク水流入空間３５４を形成するよう構成されている。【選択図】図８
2015068067.tif 000002
【特許請求の範囲】
【請求項１】
洗浄水によって汚物を排水管に排出する水洗大便器装置であって、
前記汚物を受け止め、前記洗浄水として水が供給される大便器本体と、
内部に水を貯留しており、前記水を前記大便器本体に供給することができるよう設けられたタンクと、
前記タンクの内部に配置され一端側に吸引口が形成されたスロート管であって、前記吸引口から内部に流入した水が前記大便器本体に供給されるスロート管と、
前記吸引口から前記スロート管の内部に向けてジェット水を噴射するノズルと、
前記タンク内の水が前記大便器本体に供給された後、前記ジェット水の進路を遮蔽して前記ジェット水の進行方向を、前記スロート管の内部から前記スロート管の外部へと切り替えることで、前記ノズルが前記ジェット水の噴射を終了すべき止水位まで前記タンク内に水を供給する進行方向切替部と、
を備え、
前記進行方向切替部は、前記ジェット水を前記タンク内に供給するタンク給水時において、前記タンク内の水が前記止水位となるまでは前記スロート管から前記大便器本体へ水が排出されることを防止するとともに、前記タンク内の水が前記止水位を超えると前記スロート管から前記大便器本体へ水が排出されるようにするために、前記ジェット水が前記スロート管の内部に流入することを抑制するよう構成される一方で、前記タンク内の水が前記スロート管の内部に流入することを許容するよう前記吸引口との間にタンク水流入空間を形成するよう構成されている、
ことを特徴とする水洗大便器装置。
【請求項２】
前記進行方向切替部には、前記タンク給水時において、前記ジェット水によって前記スロート管の内部に存在する水が引き出され前記スロート管外部へ流出することを抑制することで、前記スロート管内の水位が前記タンク内の水位よりも低下することを抑制する水位低下抑制手段が設けられていることを特徴とする請求項１に記載の水洗大便器装置。
【請求項３】
前記スロート管は、前記タンク給水時において、前記タンク内の水位が前記止水位を超えるとサイホンが発生するよう構成されていることを特徴とする請求項２に記載の水洗大便器装置。
【請求項４】
前記進行方向切替部には、前記タンク給水時において、前記タンク内の水が前記止水位に到達するまでは前記スロート管の内部の水が前記大便器本体側に排出されないよう、前記ジェット水の一部を前記スロート管内部に流入させることで、前記スロート管の内部の水位を前記タンク内の水位よりも高くする水位上昇手段が設けられていることを特徴とする請求項１に記載の水洗大便器装置。
【請求項５】
前記水位上昇手段は、前記ジェット水の一部を前記スロート管の内壁面に衝突させるよう構成されていることを特徴とする請求項４に記載の水洗大便器装置。
【発明の詳細な説明】
【技術分野】
【０００１】
本発明は、洗浄水によって大便器本体を洗浄する水洗大便器装置に関する。
【背景技術】
【０００２】
従来から、大便器本体に洗浄水を供給するための機構として、ジェットポンプ式の給水機構を用いた水洗大便器装置が知られている。
【０００３】
ジェットポンプ式の給水機構には、水を貯留したタンク内に大便器本体に向かう流路に一端が接続されノズルと対向する他端が開口されたスロート管が設けられている。そしてこの給水機構では、ノズルから開口を通じてスロート管の内部に向かうようにジェット水が噴射されるとタンク内に貯留されていた水も引き込まれて、スロート管の内部では大便器本体に向かって大流量の水が流れるようになっている。
【０００４】
上記給水機構に関して特許文献１には、大便器本体に向かって水を流した後、スロート管の開口を完全に遮蔽してジェット水の進行方向をスロート管の内部からスロート管の外部へと切り替えることで、空になったタンク内に水を給水する流れ転換器が開示されている。
【０００５】
また、特許文献２には、大便器本体に向かって水を流した後、スロート管の流路を一部遮蔽してジェット水の進行方向をスロート管の内部からスロート管の外部へと切り替えることで、空になったタンク内に水を給水するボールが開示されている。
【先行技術文献】
【特許文献】
【０００６】
【特許文献１】特表２０１２−５２８９６０号公報
【特許文献２】特許第４７１３５７５号公報
【発明の概要】
【発明が解決しようとする課題】
【０００７】
しかしながら、特許文献１記載の給水機構では、ノズルのジェット水を止水する止水機構が故障してジェット水が噴射され続けた場合、タンク内に水を供給するタンク給水時には流れ転換器がスロート管の開口を完全に遮蔽しているためにジェット水を大便器本体側へ排出することができない。この結果、タンク内の水位が上昇し続けて、タンク内の水がタンク外に溢れ出てしまう。或いは、このような非常時に備えて、タンク内の水を排出するような機構を別途設ける必要がある。
【０００８】
一方で、特許文献２記載の給水機構では、便器洗浄後における便器溜水面とトラップに水が不足な状態を補うために、洗浄作動の後、遮蔽するボールとスロート管との隙間からジェット水の一部を少量の「補充水」として常時便器リム部へ供給している。このような機構では、止水機構が故障してジェット水が噴射され続けた場合でも、スロート管の流路のうちボールで遮蔽していない箇所から少量のジェット水を大便器本体側へ排出し得る。しかしながら、タンク内の水が止水位（タンク内に水を満たすべき水位：満水位）に到達する前からジェット水が排出されると、排出の分余計にジェット水を供給しなければならず、タンク内へ水を供給する供給時間が長くなる。この結果、連続的な（短時間毎の）洗浄を行う性能、すなわち連続洗浄性が低下する。さらに、このような少量の一部のジェット水を便器側に排出する構成では、止水機構が故障してタンク内にジェット水が給水され続けた場合、タンクから水が溢れることを防止するために十分な排水性能を得ることができない。そのため、別途タンク内の水を排出するような機構を設ける必要がある。
【０００９】
そこで、本発明は、連続洗浄性を向上するとともに、止水機構の故障時にタンク内の水が溢れ出ることを抑制することのできる水洗大便器装置を提供することを目的の一つとする。
【課題を解決するための手段】
【００１０】
上記課題を解決するために、本発明に係る水洗大便器装置は、洗浄水によって汚物を排水管に排出する水洗大便器装置であって、前記汚物を受け止め、前記洗浄水として水が供給される大便器本体と、内部に水を貯留しており、前記水を前記大便器本体に供給することができるよう設けられたタンクと、前記タンクの内部に配置され一端側に吸引口が形成されたスロート管であって、前記吸引口から内部に流入した水が前記大便器本体に供給されるスロート管と、前記吸引口から前記スロート管の内部に向けてジェット水を噴射するノズルと、前記タンク内の水が前記大便器本体に供給された後、前記ジェット水の進路を遮蔽して前記ジェット水の進行方向を、前記スロート管の内部から前記スロート管の外部へと切り替えることで、前記ノズルが前記ジェット水の噴射を終了すべき止水位まで前記タンク内に水を供給する進行方向切替部と、を備え、前記進行方向切替部は、前記ジェット水を前記タンク内に供給するタンク給水時において、前記タンク内の水が前記止水位となるまでは前記スロート管から前記大便器本体へ水が排出されることを防止するとともに、前記タンク内の水が前記止水位を超えると前記スロート管から前記大便器本体へ水が排出されるようにするために、前記ジェット水が前記スロート管の内部に流入することを抑制するよう構成される一方で、前記タンク内の水が前記スロート管の内部に流入することを許容するよう前記吸引口との間にタンク水流入空間を形成するよう構成されている、ことを特徴とする。
【００１１】
このように、本発明に係る水洗大便器装置は、大便器本体に洗浄水を供給するための機構として、内部に水を貯留しており、この水を大便器本体に供給することができるよう設けられたタンクを有している。このタンクから大便器本体に水が供給されると、大便器本体の洗浄及び汚物の排出が行われる。
【００１２】
タンクの内部には、一端側に吸引口が形成されたスロート管が配置されている。このスロート管では、吸引口から内部に流入した水が大便器本体に供給される。
【００１３】
吸引口から内部に流入する水は、ノズルのジェット水を含む。このノズルは、吸引口からスロート管の内部に向けてジェット水を噴射する。この結果、ジェットポンプ作用を誘発して、当該作用により、吸引口にはノズルから噴射された水が流入するだけでなく、タンクに貯留されていた水も引き込まれて流入する。換言すれば、ジェットポンプ作用が生じることによって、スロート管の内部を流れる水の流量が、ノズルから噴射された水の流量よりも増大する。
【００１４】
また、本発明に係る水洗大便器装置は、タンク内の水が大便器本体に供給された後、ジェット水の進路を遮蔽することでその進行方向を、スロート管の内部からスロート管の外部へと切り替え、ノズルがジェット水の噴射を終了する止水位までタンク内に水を供給する進行方向切替部を有している。この進行方向切替部により、ジェット水がタンク内に供給されるため、無駄水が発生することがなく、タンク内へ水を供給する供給時間を短縮することができ、もって連続洗浄性を向上させることができる。
【００１５】
そして、この進行方向切替部は、ジェット水をタンク内に供給するタンク給水時において、タンク内の水が止水位となるまではスロート管から大便器本体へ水が排出されることを防止するとともに、タンク内の水が止水位を超えるとスロート管から大便器本体へ水が排出されるようにするために、ジェット水がスロート管の内部に流入することを抑制するよう構成される一方で、タンク内の水がスロート管の内部に流入することを許容するよう吸引口との間にタンク水流入空間を形成するよう構成されている。
【００１６】
このように進行方向切替部は、タンク給水時において、止水位まではジェット水がスロート管から排出されることを抑制するよう構成されるため、ジェット水の排出が抑制されない場合に比べてタンク内へ水を供給する供給時間をより短くでき、もって連続洗浄性を向上することができる。一方で、進行方向切替部は、タンク内の水がスロート管の内部に流入することを許容するよう吸引口との間にタンク水流入空間を形成するよう構成されているため、止水機構が故障した場合でも、止水位を超えたタンク内の水はタンク水流入空間を通じてスロート管の内部に流入した後に大便器本体側へ排出されるため（オーバーフローするため）、タンク内の水位が上昇し続けてタンク内の水がタンク外に溢れ出ることを抑制することができる。
以上のように、本発明に係る水洗大便器装置では、連続洗浄性を向上するとともに、止水機構の故障時にタンク内の水が溢れ出ることを抑制することができる。
【００１７】
また、本発明に係る水洗大便器装置は、前記進行方向切替部には、前記タンク給水時において、前記ジェット水によって前記スロート管の内部に存在する水が引き出され前記スロート管の外部へ流出することを抑制することで、前記スロート管内の水位が前記タンク内の水位よりも低下することを抑制する水位低下抑制手段が設けられていることも好ましい。
【００１８】
仮に、タンク給水時において、スロート管内の水位がタンク内の水位よりも低下してしまうと止水位を超えてオーバーフローし始めるときのタンク内の水位が高くなってしまい、タンク内の上方に電気機器等がある場合は当該電気機器等が浸水して故障する恐れや、そもそもスロート管からタンク内の水がオーバーフローされることなく、タンク内の水位が上昇し続けてタンクから水が溢れ出す可能性がある。
これに対し、上記好ましい形態では、水位低下抑制手段を設けることで、タンク内へ向うジェット水によりスロート内部に存在する水を吸引することを抑制することができるため、タンク内の水位上昇に伴いスロート管内の水位も上昇して、止水位を超えたときに確実にタンク内の水をオーバーフローさせることができる。
【００１９】
また、本発明に係る水洗大便器装置では、前記スロート管は、前記タンク給水時において、前記タンク内の水位が前記止水位を超えるとサイホンが発生するよう構成されていることも好ましい。
【００２０】
仮に、止水機構が故障した場合にサイホンを発生させないとすると，タンクへの給水流量とスロート管からの排出水量とがバランスするまでタンク内の水位は上昇し続ける（スロート管からの排出流量はタンク内水位が上昇するにつれて大きくなる）。タンク内水位の上限水位（バランスする水位）を低くするには、スロート管の内部から排出する水量を多くする必要があり、水量を多くするためにはスロート管の径を大きくしなければならない。しかし、スロート管を大きくすると便器給水時におけるジェットポンプ作用の低下を招く可能性があり、ひいては、便器の洗浄性能が低下することになる。
これに対し、止水位を超えるとサイホンが発生するため、タンク内の水位が、タンクへの給水流量とスロート管からの排出水量とがバランスする水位に到達する前にサイホン作用によりタンク内の貯水がスロート管を介して排出される。さらには、サイホン作用によってオーバーフロー水量が増加することによりタンク内水位が減少させられる．この結果、スロート管の径を大きくすることなく、タンク内の水位をより確実に減少させることができ、タンク内の水位が上昇し続けてタンク内からタンク外に水が溢れ出すことがない。
【００２１】
また、本発明に係る水洗大便器装置における前記進行方向切替部には、前記タンク給水時において、前記タンク内の水が前記止水位に到達するまでは前記スロート管の内部の水が前記大便器本体側に排出されないよう、前記ジェット水の一部を前記スロート管内部に流入させることで、前記スロート管の内部の水位を前記タンク内の水位よりも高くする水位上昇手段が設けられていることも好ましい。
【００２２】
上記好ましい形態によれば、スロート管の内部の水位をタンク内の水位よりも高くすることで、タンク内の水位が低い状態でもオーバーフローを発生させることができる。したがって、タンク内の水が排出され始める水位を低くすることができるため、その分タンクの高さを低くすることができ、もってタンクの小型化をすることができる。
【００２３】
また、本発明に係る水洗大便器装置では、前記水位上昇手段は、前記ジェット水の一部を前記スロート管の内壁面に衝突させるよう構成されていることも好ましい。
【００２４】
上記好ましい形態によれば、ジェット水の一部をスロート管の内壁面に衝突させることで、流速の速いジェット水であっても確実に減速させることができる。この結果、大便器本体側へ水を排出することなく、スロート管内の水位をタンク内の水位よりも高くすることができ、もってオーバーフローを早期に発生させることができる。
【発明の効果】
【００２５】
本発明によれば、連続洗浄性を向上するとともに、止水機構の故障時にタンク内の水が溢れ出ることを抑制することができる。
【図面の簡単な説明】
【００２６】
【図１】本発明の第一実施形態に係る水洗大便器装置を示す断面図であって、この水洗大便器装置をその左右方向に垂直な面で切断した場合の断面を示している。
【図２】本発明の第一実施形態に係る水洗大便器装置の上面図である。
【図３】水洗大便器装置を後方側から見た場合における、タンクの内部を示す斜視図である。
【図４】（Ａ）は、タンク内の水位が吸引口よりも高い（例えば満水位）ときにおいてノズルからジェット水が噴射され、これによりジェットポンプ作用が誘発されている状態を模式的に示したものである。（Ｂ）は、タンク内の水位が吸引口の近傍まで低下し、リム部への水の供給が停止した状態を模式的に示したものである。
【図５】タンクの内部における構成を模式的に示している。
【図６】水洗大便器装置の、洗浄時における動作の流れを説明するためのフローチャートである。
【図７】流路切り換え部材がジェット水の供給先を大便器本体からタンクへと切り替えた後のタンク給水時であって、タンク内の水位が止水位よりも低い時のタンク内の様子を模式的に示す図である。
【図８】流路切り換え部材がジェット水の供給先を大便器本体からタンクへと切り替えた後のタンク給水時であって、タンク内の水位が止水位を超えた異常水位の時のタンク内の様子を模式的に示す図である。
【図９】洗浄時の動作が開始されてからの時間経過に伴うタンク内の水位の変化を示すグラフである。
【図１０】本発明の第二実施形態に係る水洗大便器装置の流路切り換え部材の断面図である。
【図１１】本発明の第二実施形態に係る流路切り換え部材がジェット水の供給先を大便器本体からタンクへと切り替えた後のタンク給水時であって、タンク内の水位が止水位よりも低い時のタンク内の様子を模式的に示す図である。
【図１２】本第三実施形態に係る流路切り換え部材がジェット水の供給先を大便器本体からタンクへと切り替えた後のタンク給水時であって、タンク内の水位が止水位よりも高い時のタンク内の様子を模式的に示す図である。
【図１３】本発明の第三実施形態に係る水洗大便器装置において、洗浄時の動作が開始されてからの時間経過に伴うタンク内の水位の変化を示すグラフである。
【図１４】本発明の第四実施形態に係る水洗大便器装置の流路切り換え部材の断面図である。
【図１５】本発明の第四実施形態に係る流路切り換え部材がジェット水の供給先を大便器本体からタンクへと切り替えた後のタンク給水時であって、タンク内の水位が止水位よりも低い時のタンク内の様子を模式的に示す図である。
【図１６】本発明の第四実施形態に係る流路切り換え部材がジェット水の供給先を大便器本体からタンクへと切り替えた後のタンク給水時であって、タンク内の水位が止水位よりも高い時（異常時）のタンク内の様子を模式的に示す図である。
【図１７】洗浄時の動作が開始されてからの時間経過に伴うタンク内の水位の変化を示すグラフである。
【発明を実施するための形態】
【００２７】
以下、添付図面を参照しながら本発明の実施の形態について説明する。説明の理解を容
易にするため、各図面において同一の構成要素に対しては可能な限り同一の符号を付して、重複する説明は省略する。
【００２８】
＜第一実施形態＞
本発明の第一実施形態に係る水洗大便器装置について、図１及び図２を参照しながら説明する。図１は水洗大便器装置ＦＴの断面図であって、水洗大便器装置ＦＴをその左右方向に垂直な面で切断した場合の断面を示している。図２は水洗大便器装置ＦＴの上面図である。図２では、後に説明するタンク２０の内部構造を示すため、タンク２０の上蓋２０１を取り外した状態を描いている。
【００２９】
図１及び図２に示したように、水洗大便器装置ＦＴは、大便器本体１０と、当該大便器本体１０の後方側（図１では右側、図２では上側）において大便器本体１０の上面１０１に設置されたタンク２０とを備えている。水洗大便器装置ＦＴは、大便器本体１０によって汚物を受け止めて、当該汚物を、タンク２０から供給される水（洗浄水）によって排水管ＳＷに排出する装置である。
【００３０】
尚、以下の説明においては、特に断らない限り、大便器本体１０に着座した状態の使用者から見て右側（図２では左側）のことを「右側」と称し、大便器本体１０に着座した状態の使用者から見て左側のことを「左側」（図２では右側）と称することとする。また、大便器本体１０に着座した状態の使用者から見て前方側（図１では左側、図２では下側）のことを「前側」又は「前方側」と称し、大便器本体１０に着座した状態の使用者から見て後方側（図１では右側、図２では上側）のことを「後側」又は「後方側」と称することとする。
【００３１】
大便器本体１０は、ボウル部１１０と、リム部１２０と、導水路１３０と、排水トラップ管路１４０とを有している。ボウル部１１０は、上方から落下する汚物を一時的に受け止める部分である。リム部１２０は、ボウル部１１０の上縁部に形成されており、図１に示したように、ボウル部１１０の内側面の一部を外周側に向けて後退させたような形状となっている。後に説明するように、リム部１２０は、ボウル部１１０に向けて供給された水が旋回して流れる流路となっている。リム部１２０は、ボウル部１１０の上縁に沿って一周するような略円形（上面視）の流路として形成されている。
【００３２】
導水路１３０は、タンク２０から供給された水をボウル部１１０に導くために、大便器本体１０の内部に形成された流路である。導水路１３０は、その一端が大便器本体１０の上面１０１に開口しており、タンク２０から供給される水の入口１３１となっている。入口１３１が形成されている位置は、大便器本体１０の上面１０１のうち後方側の部分であり、且つ左右方向における中央の部分である。
【００３３】
導水路１３０は、その下流側において二つの流路（第一導水路１３２、第二導水路１３４）に分岐している。一方の流路である第一導水路１３２は、その下流側の端部がリム部１２０のうち右側の部分において開口しており、当該開口が水の出口（吐水部１３３）となっている。タンク２０から入口１３１に水が供給されると、その一部は第一導水路１３２の内部を通り、吐水部１３３から噴出してリム部１２０に供給される。
【００３４】
他方の流路である第二導水路１３４は、その下流側の端部がリム部１２０のうち左側且つ後方寄りの部分において開口しており、当該開口が水の出口（吐水部１３５）となっている。タンク２０から入口１３１に水が供給されると、その一部は第二導水路１３４の内部を通り、吐水部１３５から噴出してリム部１２０に供給される。
【００３５】
吐水部１３３から水が噴出する方向は、略円形の流路として形成されたリム部１２０の円周に沿う方向であり、且つ上面視において反時計回りの方向となっている。吐水部１３５から水が噴出する方向も、略円形の流路として形成されたリム部１２０の円周に沿う方向であり、且つ上面視において反時計回りの方向となっている。図２において矢印で示したように、吐水部１３３及び吐水部１３５からリム部１２０に噴出した水は、いずれもリム部１２０に沿って反時計回りに旋回して流れながら、リム部１２０の全体からボウル部１１０に向けて流下する。
【００３６】
排水トラップ管路１４０は、ボウル部１１０の下端と排水管ＳＷとを接続する流路である。排水トラップ管路１４０は、ボウル部１１０の下端から下流に向かう方向に沿って上り勾配となるように形成されている上昇流路１４１と、上昇流路１４１の上端から下流に向かう方向に沿って下り勾配となるように形成されている下降流路１４２とを有している。このような構成により、ボウル部１１０の下部から上昇流路１４１の下部に亘る部分には水を貯留することが可能となっており、貯留した水によって封水ＷＴが形成されている。下降流路１４２の下端には排水管ＳＷが接続されている。排水管ＳＷは建物の内部に配置された配管であって、その下流側の端部が不図示の下水管に接続されている。
【００３７】
タンク２０からボウル部１１０に向けて水が供給されると、上記のように、当該水はリム部１２０を旋回して流れながら、リム部１２０の全体からボウル部１１０に向けて流下する。水はボウル部１１０に対して上方から追加され、ボウル部１１０の下端部から上昇流路１４１及び下降流路１４２を通って排出される。その結果、ボウル部１１０に貯留されている水（封水ＷＴ）には下向きの流れが生じることとなる。
【００３８】
ボウル部１１０において一時的に受け止められていた汚物は、上方のリム部１２０から供給される水によって下方に向けて押し込まれ、ボウル部１１０の下端に向かって移動する。その後、汚物は水流によって上昇流路１４１を通り下降流路１４２に到達して、水と共に排水管ＳＷに向けて落下する。
【００３９】
タンク２０は内部に水が貯留された容器であって、当該水を導水路１３０の入口１３１に供給するためのものである。タンク２０は、第一タンク部２１０と、第一タンク部２１０の底壁２１１の一部を下方に伸ばすように形成された第二タンク部２２０とを有している。第一タンク部２１０と第二タンク部２２０はいずれも略直方体の容器であって、両者の内部空間が互いに連通している。第二タンク部２２０は、第一タンク部２１０の底壁２１１のうち後方側の部分に接続されている。
【００４０】
第一タンク部２１０の底壁２１１（第二タンク部２２０よりも前方側の部分）は、大便器本体１０の上面１０１のうち後方側の部分に対して上方から近接した状態となっている。具体的には、大便器本体１０の上面１０１のうち後方側の部分には入口１３１が形成されているが、第一タンク部２１０の底壁２１１は、入口１３１の周囲を上方から覆うように、大便器本体１０の上面１０１に対して上方から近接した状態となっている。また、底壁２１１には入口１３１と略同一形状の開口２１２が形成されており、開口２１２と入口１３１とが上面視で重なっている。このため、タンク２０の内部に貯留されている水は、開口２１２及び入口１３１を通って導水路１３０の内部に流入し、ボウル部１１０に向かって流れることが可能となっている。
【００４１】
第一タンク部２１０を上記のように配置した結果、第二タンク部２２０は大便器本体１０よりも後方に位置している。すなわち、大便器本体１０の後方側端部よりも更に後方側に位置した状態となっている。また、第二タンク部２２０の底壁２２１は、大便器本体１０の上面１０１よりも低い位置に配置されている。
【００４２】
上記のようにタンク２０が配置されることにより、タンク２０の前端部が、大便器本体１０の後端部よりも前方側に位置している。また、タンク２０の下端部が、大便器本体１０の上面１０１よりも下方側に位置している。その結果、水洗大便器装置ＦＴ全体の前後方向における寸法と、上下方向における寸法とが、いずれも小さくなっており、水洗大便器装置ＦＴのデザイン性が向上している。
【００４３】
次に、タンク２０の内部の構成について説明する。図３は、水洗大便器装置ＦＴを後方側から見た場合における、タンク２０の内部を示す斜視図である。図３に示したように、タンク２０の内部には、給水管２３１と、主弁２３３と、パイロット弁２３４と、ジェットポンプユニット３００とが配置されている。
【００４４】
給水管２３１は、主弁２３３に向けて水を供給するための管であって、第二タンク部２２０の底壁２２１から鉛直上方に向かって伸びるように配置されている。給水管２３１の下端は、タンク２０の外部において不図示の水道管に接続されている。また、給水管２３１の上端は、タンク２０の内部において主弁２３３に下方から接続されている。給水管２３１は、タンク２０の内部のうち左右方向における中央よりも左側となる位置に配置されている。
【００４５】
給水管２３１の途中（水道管と主弁２３３との間）には、図３では図示しない定流量弁２３２が配置されている。主弁２３３が開いた状態において主弁２３３に流入する水の流量は定流量弁２３２によって一定となり、水道管内の水圧によって変動することがない。
【００４６】
主弁２３３は開閉弁であって、給水管２３１からジェットポンプユニット３００に向かう水の流路の開閉を行うものである。主弁２３３とジェットポンプユニット３００との間にはバキュームブレーカー２３５が備えられており、バキュームブレーカー２３５の上流側が負圧となって水が逆流してしまうことが防止されている。尚、上記のように給水管２３１が上方に向かって伸びており、主弁２３３とバキュームブレーカー２３５とはタンク２０内の高い位置に配置されている。このため、タンク２０の水位が満水位となった状態においても、バキュームブレーカー２３５が水没してしまうことはない。
【００４７】
主弁２３３にはパイロット弁２３４が備えられており、パイロット弁２３４の動作によって主弁２３３の開閉が切り替えられる構成となっている。パイロット弁２３４には、タンク２０の外側に配置された手動レバー２３６が、タンク２０の内部に配置された伝達機構２３７を介して接続されている。また、パイロット弁２３４には、タンク２０の内部に配置されたフロート２３８が更に接続されている。
【００４８】
水洗大便器装置ＦＴの使用者によって手動レバー２３６が操作されると、当該操作が伝達機構２３７を介してパイロット弁２３４に伝達され、パイロット弁２３４が開かれる。これにより主弁２３３が開かれた状態となり、給水管２３１からジェットポンプユニット３００に向かって水が流れる。後に説明するように、ジェットポンプユニット３００に向かって流れた水は、タンク２０の内部に貯留されていた水と共に洗浄水として導水路１３０に供給される。このため、タンク２０の内部における水位は次第に低下していく。
【００４９】
ボウル部１１０の洗浄が終了した後も、主弁２３３は閉じられず、給水管２３１からジェットポンプユニット３００に向かって引き続き水が流れる。ジェットポンプユニット３００に向かって流れた水はタンク２０の内部に供給されて、次回の洗浄のために貯留される。タンク２０の内部に向けた水の供給（タンク２０への給水）が行われると、タンク２０の内部における水位は次第に上昇して行く。タンク２０の内部においてパイロット弁２３４に接続されているフロート２３８は、水位の上昇に伴って上昇し、これによりパイロット弁２３４が閉じられる。
【００５０】
このように、タンク２０の内部における水位が上昇すると、フロート２３８が受ける浮力の変化によってパイロット弁２３４が閉じられる。パイロット弁２３４が閉じられると、主弁２３３が閉じられた状態となり、給水管２３１からジェットポンプユニット３００への水の供給が停止される。この時点においてタンク２０の内部に貯留されている水の量が、次回の洗浄のために必要な量となるように（所定の満水位となるように）、フロート２３８の配置が調整されている。
【００５１】
ジェットポンプユニット３００は、給水管２３１から供給された水によりジェットポンプ作用を誘発させ、これにより導水路１３０に向けた水の供給を行うためのものである。このようなジェットポンプユニット３００は、ノズル３１０と、スロート管３２０とを有している。
【００５２】
ノズル３１０は、一端が接続管２３９を介してバキュームブレーカー２３５に接続されており、他端には噴射口３１１が形成されている管である。ノズル３１０は、第二タンク部２２０の底壁２２１の近傍に配置されている。主弁２３３が開かれると、給水管２３１から供給された水は接続管２３９を流れてノズル３１０に到達し、噴射口３１１から高速の水流（ジェット水）として噴射される。ノズル３１０は、第二タンク部２２０のうち後方側且つ右側の隅（上面視における隅）に配置されている。図３に示したように、ノズル３１０はＵ字形状となっており、その下流側が上記隅から折り返されている。噴射口３１１は、その噴射方向がスロート管３２０の内部に向けられている。
【００５３】
スロート管３２０は断面が円形の管であって、底壁２１１に形成された開口２１２（図２参照）を一部が貫通した状態で、タンク２０の内部に配置されている。スロート管３２０の一端は導水路１３０の入口１３１に接続されており、他端には開口である吸引口３２１が形成されている。スロート管３２０は、導水路１３０の入口１３１側の部分が鉛直方向に沿っており、吸引口３２１側の部分が水平面に対して傾斜している。このため、その全体が逆Ｕ字形状となっている。図２に示したように、スロート管３２０は、上面視において前後方向に対して傾斜した状態で、タンク２０の内部に配置されている。
【００５４】
スロート管３２０の具体的な形状について更に詳しく説明する。スロート管３２０は、吸引口３２１から斜め上方に向けて伸びる上昇部３２２と、上昇部３２２の下流側（上側）に配置された屈曲部３２３と、屈曲部３２３の下流側（下側）に配置され、屈曲部３２３から下方に向かって伸びる下降部３２４とを有している。
【００５５】
上昇部３２２は、その管径が全体において均一な円筒形状の管であって、水平面に対して傾斜した状態で配置されている。吸引口３２１は上昇部３２２の下端に形成されている。吸引口３２１は、その縁の全体が水平面に沿うように形成されている。
【００５６】
下降部３２４は、その管径が全体において均一な円筒形状の管であって、鉛直方向に沿って配置されている。下降部３２４の管径は、上昇部３２２の管径よりも大きい。屈曲部３２３のうち上昇部３２２側の管径は、上昇部３２２の管径に等しい。また、屈曲部３２３のうち下降部３２４側の管径は、下降部３２４の管径に等しい。このため、管径が互いに異なる上昇部３２２と下降部３２４とが、屈曲部３２３によって滑らかに繋がれているということができる。
【００５７】
図４を参照しながら、ジェットポンプユニット３００の構成及び動作について更に説明する。図４（Ａ）は、タンク２０内の水位が吸引口３２１よりも高い（例えば満水位）ときにおいてノズル３１０からジェット水が噴射され、これによりジェットポンプ作用が誘発されている状態を模式的に示したものである。
【００５８】
主弁２３３が開かれて、ノズル３１０の噴射口３１１からジェット水が噴射されると、当該ジェット水が上昇部３２２の内部に向かって流れる。上昇部３２２のうち下側の部分及びノズル３１０は、タンク２０内に貯留されている水の内部に水没している。このため、タンク２０内に貯留されている水は、噴射口３１１から噴射されたジェット水によって上昇部３２２の内部に引き込まれて、導水路１３０に向かって流れる。このようなジェットポンプ作用が誘発される結果、スロート管３２０の内部では、ノズル３１０の噴射口３１１から噴射されたジェット水だけでなく、吸引口３２１の周囲から引き込まれた水も流れる。これらが導水路１３０を流れて、洗浄水として吐水部１３３、１３５からリム部１２０に供給される。
【００５９】
このように、水洗大便器装置ＦＴにおいては、ノズル３１０の噴射口３１１から噴射されるジェット水の流量よりも、リム部１２０に供給される水の流量の方が多くなっている。換言すれば、ノズル３１０の噴射口３１１から噴射されるジェット水の流量が少なくても、洗浄水として十分な流量の水がリム部１２０に供給される。このため、水道管の水圧が低い環境に水洗大便器装置ＦＴが設置された場合であっても、十分な洗浄性能を発揮することができる。
【００６０】
また、洗浄水としてリム部１２０（及びボウル部１１０）に供給される水の総量は、タンク２０の内部に予め貯留されていた水の量に、ノズル３１０の噴射口３１１から噴射されたジェット水の量を加えたものとなる。全ての洗浄水をタンク２０の内部に貯留しておく必要がないため、タンク２０は小型化されており、そのデザイン性が向上している。
【００６１】
ところで、タンク２０に貯留されている水のうち、吸引口３２１よりも下の部分に存在する水は、吸引口３２１からスロート管３２０の内部に供給されない。その結果、タンク２０の内部に残水として残ってしまう。しかし、図３等に示したように、ノズル３１０及び吸引口３２１はいずれも（狭い）第二タンク部２２０の内部に配置されている。このため、吸引口３２１よりも下の部分で残ってしまう残水の量は、比較的少なくなっている。
【００６２】
このような構成により、水洗大便器装置ＦＴでは、リム部１２０対する水の供給が終了した時点における残水の量を少なくしている。その結果、タンク２０の内部空間のうち殆どの部分を、リム部１２０対して供給される水（残水とならない水）を貯留するための空間として利用することが可能となっており、タンク２０の大型化が抑制されている。
【００６３】
上昇部３２２の下端近傍、すなわち吸引口３２１の近傍には、流路切り換え部材３５０が取り付けられている。流路切り換え部材３５０は棒状の部材であって、その長手方向に沿った一端にはフロート３５１を有しており、他端には切り換え板３５２を有している。
尚、流路切り換え部材３５０は、先に参照した図３等においては図示を省略していたものである。
【００６４】
流路切り換え部材３５０は、フロート３５１と切り換え板３５２との間の部分が、上昇部３２２の下端近傍に対して回転自在な状態で取り付けられている。図４（Ａ）に示したように、タンク２０内の水位が吸引口３２１よりも高いときにおいては、フロート３５１に加わる浮力によって流路切り換え部材３５０が回転する。具体的には、フロート３５１が上方に移動し、切り換え板３５２が下方に移動して、それぞれ図４（Ａ）に示した位置で停止する。
【００６５】
図４（Ａ）の状態においては、ノズル３１０から噴射されたジェット水は、切り換え板３５２には直接当たることなく上昇部の内部に流入する。その結果、既に説明したようなジェットポンプ作用が誘発され、洗浄水としての水がリム部１２０に供給される。
【００６６】
その後、タンク２０内の水がリム部１２０に供給されることにより、タンク２０内の水位は次第に低下していく。
【００６７】
図４（Ｂ）は、タンク２０内の水位が吸引口３２１の近傍まで低下し、リム部１２０への水の供給が停止した状態を模式的に示したものである。タンク２０内の水位が吸引口３２１の近傍まで低下すると、フロート３５１に加わる浮力は小さくなる。このため、図４（Ｂ）に示したように、フロート３５１が下方に移動するように流路切り換え部材３５０が回転する。切り換え板３５２は上方に移動して、ノズル３１０から噴射されたジェット水の全てが切り換え板３５２に直接当たるようになる。
【００６８】
切り換え板３５２のうち噴射口３１１に対向する面は、凹状に湾曲した形状となっている。また、この切り換え板３５２の面は、噴射口３１１全体と対向しており、全てのジェット水の進行方向が切替えられる配置となっている。ノズル３１０から噴射されたジェット水が切り換え板３５２の面に当たると、ジェット水は当該面に沿って流れて、その進行方向を略９０度変化させる。その結果、ノズル３１０から噴射されたジェット水は上昇部３２２の内部には流入せず、次回の洗浄のための水としてタンク２０に給水される。このように、流路切り換え部材３５０は、ノズル３１０から噴射されたジェット水の供給先を、大便器本体１０からタンク２０へと切り替えるためのものである。
【００６９】
以下、流路切り換え部材３５０により、ノズル３１０から噴射されたジェット水をタンク２０内へ供給する時（最中）を「タンク給水時」と称す。また、タンク給水時において、ノズル３１０がジェット水の噴射を終了すべき予め定められたタンク２０内の水位を、「止水位」と称す。ジェット水の噴射が止水位で確実に止まると、タンク内の水位は、「満水位」となる。したがって、「止水位」と「満水位」は実質的に同義である。
【００７０】
ここで、流路切り換え部材３５０は、タンク給水時において、タンク２０内の水が止水位となるまではジェット水がスロート管３２０から排出されることを抑制するよう構成されている。このような構成は、切り換え板３５２とフロート３５１等の形状及び配置の調整により実現でき、特に限定されない。例えば、上記構成として切り換え板３５２にのみ着目すると、上述したように切り換え板３５２のうち噴射口３１１に対向する面が凹状に湾曲した形状となっていること、切り換え板３５２が噴射口３１１全体と対向していること、又は切り換え板３５２が噴射されるほぼ全てのジェット水の進行方向を、排出方向の上成分（例えば斜め右上の上成分）を含まない方向（例えば斜め右下）に切替えられる配置となっていること、等が挙げられる。
【００７１】
一方で、流路切り換え部材３５０は、タンク給水時において、タンク２０内の水がスロート管３２０の内部に流入することを許容するよう、吸引口３２１（第一実施形態では特にスロート管３２０の内壁面）との間にタンク水流入空間３５４を形成するよう構成されている。このような構成は、特に限定されないが、例えば切り換え板３５２のサイズと配置の調整により実現できる。より具体的には、例えば切り換え板３５２を、吸引口３２１よりも小さくし、且つ、切替え先のジェット水の進行方向｛図４（Ｂ）矢印参照｝とは逆方向に位置するスロート管３２０の内壁面から離して配置する。
【００７２】
図５は、タンク２０の内部における構成を模式的に示している。既に説明したように、タンク２０の内部には、給水管２３１と、主弁２３３と、ジェットポンプユニット３００とが配置されている。
【００７３】
ボウル部１１０の洗浄が行われていない状態（待機状態）においては、タンク２０の水位は満水位となっている。水洗大便器装置ＦＴの使用者によって手動レバー２３６が操作されると、既に説明したように主弁２３３が開かれた状態となり、ノズル３１０の噴射口３１１から水が噴射される（図５の矢印ＡＲ１）。タンク２０の内部に貯留されていた水は、スロート管３２０の内部に引き込まれて（図５の矢印ＡＲ２）、洗浄水としてリム部１２０に供給される（図５の矢印ＡＲ３）。
【００７４】
リム部１２０への水の供給が終了すると、ノズル３１０からの水の供給先が流路切り換え部材３５０によって切り替えられて、タンク２０への注水（供給）が開始される（図５の矢印ＡＲ４）。タンク２０内の水位は次第に上昇して行き、満水位となった時点でフロート２３８によりパイロット弁２３４が閉じられる。これと同時に主弁２３３が閉じられることによりタンク２０への注水が終了し、待機状態に戻る。
【００７５】
タンク２０の内部におけるその他の構成について、再び図３を参照しながら説明する。図３に示したように、タンク２０の内部にはスロート管３２０の下降部３２４を囲むような隔壁２４０が配置されている。隔壁２４０は、底壁２１１から上方に向かって伸びるように形成されている。隔壁２４０、タンク２０の前側壁面２１３、左側壁面２１４、及び第一タンク部２１０の底壁２１１によって、タンク２０の内部空間の一部が区画され、小タンク２６０が構成されている。小タンク２６０は、その上部がタンク２０の内部に開放された容器であって、第一タンク部２１０のうち前方側且つ左側の隅に配置されている。スロート管３２０は、下降部３２４の下端部分が小タンク２６０の内側に配置されている。また、吸引口３２１が小タンク２６０の外側に配置されている。
【００７６】
隔壁２４０のうち下端部近傍には開閉窓２４１が設けられている。開閉窓２４１は通常は開かれた状態となっており、開閉窓２４１を通じて小タンク２６０の内部と外部（隔壁２４０よりも後方側の空間）とが連通している。このため、ボウル部１１０の洗浄が行われていない状態（待機状態）においては、タンク２０内に貯留された水の水位と、小タンク２６０内に貯留された水の水位は等しくなっている。
【００７７】
手動レバー２３６は二つの方向（大方向、小方向）に操作することが可能となっている。手動レバー２３６が大方向に操作された場合には、開閉窓２４１が開かれた状態のまま、パイロット弁２３４及び主弁２３３が開かれる。小タンク２６０に貯留されていた水は、開閉窓２４１を通過して第二タンク部２２０に流出し、吸引口３２１に到達する。このため、タンク２０の内部に貯留されていた水は、小タンク２６０に貯留されていた分を含む殆どが、スロート管３２０の内部に引き込まれてリム部１２０に供給される。
【００７８】
一方、手動レバー２３６が小方向に操作された場合には、開閉窓２４１が閉じられると同時にパイロット弁２３４及び主弁２３３が開かれる。このため、タンク２０の内部に貯留されていた水のうち小タンク２６０に貯留されていた水は、開閉窓２４１を通過することができずに小タンク２６０の内部に残留したままとなる。その結果、洗浄水としてリム部１２０に供給される水の量は少量となる。
【００７９】
尚、以下の説明において「タンク２０に貯留されている水の水位」又は「タンク２０内の水位」等というときには、小タンク２６０の外部における水位を示すものとする。すなわち、隔壁２４０によって二つに分けられた空間のうち、吸引口３２１が配置されている方の空間に貯留されている水の水位を示すものとする。小タンク２６０に貯留されている水の水位については、以下の説明では考慮しない。
【００８０】
続いて、洗浄時においてジェット水の流れとタンク２０内に供給される水の水位について、図６〜図９を参照しながら説明する。
【００８１】
図６は、水洗大便器装置ＦＴの、洗浄時における動作の流れを説明するためのフローチャートである。図７は、流路切り換え部材３５０がジェット水の供給先を大便器本体１０からタンク２０へと切り替えた後のタンク給水時であって、タンク２０内の水位が止水位よりも低い時のタンク２０内の様子を模式的に示す図である。図８は、流路切り換え部材３５０がジェット水の供給先を大便器本体１０からタンク２０へと切り替えた後のタンク給水時であって、タンク２０内の水位が止水位を超えた異常時のタンク２０内の様子を模式的に示す図である。図９は、洗浄時の動作が開始されてからの時間経過に伴うタンク２０内の水位の変化を示すグラフである。
【００８２】
まず、水洗大便器装置ＦＴの使用者によって手動レバー２３６が操作されると（ステップＳ０１）、ノズル３１０からジェット水が噴射され、既に説明したようにジェットポンプ作用によって導水路１３０を通じて大便器本体１０に水が供給される（ステップＳ０２）。このように大便器本体１０に水を供給する便器給水時においては、図９に示すように、タンク２０内の水位４００が時間の経過とともに例えば直線的に低下し続ける。
【００８３】
大便器本体１０への水の供給は、タンク２０内の水位４００が低下し、流路切り換え部材３５０が図４（Ｂ）に示した状態となるまで継続される。言い換えると、図９に示すように、リム部１２０へ水が供給され続けてタンク２０内の水位４００が予め定められた水位：空水位４０２まで低下すると、上記供給は終了する（ステップＳ０３、Ｓ０４）。上記「空水位４０２」とは、流路切り換え部材３５０のフロート３５１に加わる浮力が小さくなり、流路切り換え部材３５０が回転して図４（Ｂ）に示した状態となる際におけるタンク２０内の水位である。すなわち、「空水位４０２」とは、リム部１２０に対する洗浄水の供給が停止される際における、タンク２０内の水位である。
【００８４】
流路切り換え部材３５０が回転して図４（Ｂ）に示した状態となると、既に説明したようにノズル３１０から継続して噴射されるジェット水の進行方向がスロート管３２０の外部へと切り替わり、タンク２０内への水の供給（給水）が行われる（ステップＳ０４）。このようにタンク２０内に水を供給するタンク給水時においては、図７及び図９に示すように、タンク２０内の水位４００が時間の経過とともに例えば直線的に上昇し続ける。そして、タンク２０内の水位４００が上昇し続けて止水位４０４に達すると、ノズル３１０からのジェット水の噴射が停止され、タンク２０内への水の供給が停止される（ステップＳ０５、Ｓ０６）。この結果、タンク２０内に貯留された水によりフロート３５１に加わる浮力で、流路切り換え部材３５０が回転して図４（Ａ）に示した元の状態に戻る。尚、ジェット水が流れ続けている間は、切り換え板３５２の面がジェット水の力を受け続け、上記浮力による回転を引き止めている。
【００８５】
このようなタンク給水時において、流路切り換え部材３５０は、タンク２０内の水位４００が止水位４０４となるまではジェット水がスロート管３２０から排出されることを抑制するよう構成されるため、ジェット水が排出される場合に比べてタンク２０内へ水を供給する供給時間ｔ１（図９参照）を短くでき、連続洗浄性を向上することができる。尚、ジェット水の噴射が停止されると、大便器本体１０に水が供給されない限り、タンク２０内の水位４００は時間が経過しても、正常時であれば止水位４０４のまま変化しないが、図９では以下の異常時を想定しているため、正常時の変化しない水位は記載していない。
【００８６】
ここで、ノズル３１０のジェット水を止水する止水機構（例えばフロート２３８、パイロット弁２３４及び主弁２３３の少なくとも１つ）が故障して、タンク２０内の水位４００が止水位４０４を超えてもジェット水が噴射され続ける異常時を想定する。
【００８７】
この異常時において、仮にスロート管３２０の吸引口３２１が完全に遮蔽されていると、ジェット水をスロート管３２０から導水路１３０へ排出することができない。この結果、図９の点線で示すようにタンク２０内の水位４００が上昇し続けて溢れ水位４０８に達し、タンク２０内の水がタンク２０外に溢れ出てしまう。
【００８８】
第一実施形態に係る水洗大便器装置ＦＴでは、図４（Ｂ）に示すように、流路切り換え部材３５０は、タンク給水時において、タンク２０内の水がスロート管３２０の内部に流入することを許容するよう吸引口３２１との間にタンク水流入空間３５４を形成するよう構成されている。このため、止水機構が故障した場合でも、図８及び図９に示すように、タンク２０内の水位４００が止水位４０４を超えて例えばオーバーフロー水位４０６に達すると、タンク２０内の水はタンク水流入空間３５４を通じてスロート管３２０の内部に流入した後に導水路１３０へ排出される（オーバーフローする）。この結果、水洗大便器装置ＦＴでは、タンク２０内の水位４００が上昇し続けてタンク２０内の水がタンク２０外に溢れ出ることを抑制することができる。
【００８９】
以上のように、本第一実施形態に係る水洗大便器装置ＦＴによれば、連続洗浄性を向上するとともに、止水機構の故障時にタンク２０内の水が溢れ出ることを抑制することができる。
【００９０】
＜第二実施形態＞
次に、本発明の第二実施形態に係る水洗大便器装置について説明する。本第二実施形態に係る水洗大便器装置は、ジェット水の供給先を大便器本体１０からタンク２０へと切り替える流路切り換え部材の構成が第一実施形態の流路切り換え部材３５０の構成と異なる。その他の第二実施形態に係る水洗大便器装置の構成については、第一実施形態と同様である。
【００９１】
図１０は、本第二実施形態に係る水洗大便器装置の流路切り換え部材３５０Ａの断面図である。
【００９２】
図１０に示すように、流路切り換え部材３５０Ａは、棒状の部材であって、その長手方向に沿った一端にはフロート３５１を有しており、他端には切り換え板３５２Ａを有している。そして、流路切り換え部材３５０Ａは、フロート３５１と切り換え板３５２Ａとの間の部分が、上昇部３２２の下端近傍に対して回転自在な状態で取り付けられている。
【００９３】
この切り換え板３５２Ａには、タンク給水時において、ジェット水によってスロート管３２０の内部に存在する水が引き出されてスロート管３２０の外部に流出することでスロート管３２０内の水位がタンク２０内の水位４００よりも低下することを抑制する水位低下抑制手段４１０が設けられている。
【００９４】
この水位低下抑制手段４１０は、切り換え板３５２Ａと一体又は別体であってもよいが、例えば第二実施形態では切り換え板３５２Ａと一体となっている。そして、水位低下抑制手段４１０は、タンク給水時において、第一実施形態に係る切り換え板３５２よりもジェット水の進行方向と平行な方向（進行方向切り替え前の進行方向と略直交する方向）に長く延伸した部分が、水位低下抑制手段４１０となっている（図１０に示す切り換え板３５２Ａにおいて点線Ｌ１より右側部分）。この結果、ノズル３１０とスロート管３２０の内壁面の間の吸引口３２１を塞ぐように、切り換え板３５２Ａの一端がノズル３１０の噴射口３１１に対向し、切り換え板３５２Ａの他端がスロート管３２０に対向するようになっている。
【００９５】
図１１は、本第二実施形態に係る流路切り換え部材３５０Ａがジェット水の供給先を大便器本体１０からタンク２０へと切り替えた後のタンク給水時であって、タンク２０内の水位４００が止水位４０４よりも低い時のタンク２０内の様子を模式的に示す図である。
【００９６】
仮に、タンク給水時において、スロート管３２０内の水位４００Ａがタンク２０内の水位４００よりも低下してしまうと止水位を超えてオーバーフローし始めるときのタンク２０内の水位４００が高くなってしまい、タンク２０内の上方に電気機器等がある場合は電気機器等が浸水して故障する恐れや、そもそもスロート管３２０からタンク２０内の水がオーバーフローされることなく、タンク２０内の水位４００が上昇し続けてタンク２０から水が溢れ出す可能性がある。
これに対し、本第二実施形態では、流路切り換え部材３５０Ａに水位低下抑制手段４１０を設けている。これにより、図１１に示すように、タンク２０内にむけられたジェット水によってスロート管３２０の内部の水が引き出されることを抑制することができるため、タンク２０内の水位４００の上昇に伴いスロート管３２０内の水位４００Ａも上昇して、タンク内の水位がオーバーフロー水位４０６を超えたときにより確実にタンク２０内の水をオーバーフローさせることができる。
【００９７】
＜第三実施形態＞
次に、本発明の第三実施形態に係る水洗大便器装置について説明する。本第三実施形態に係る水洗大便器装置は、スロート管の構成が第二実施形態のスロート管３２０の構成と異なる。その他の本第三実施形態に係る水洗大便器装置の構成については、第二実施形態と同様である。
【００９８】
図１２は、本第三実施形態に係る流路切り換え部材３５０Ａがジェット水の供給先を大便器本体１０からタンク２０へと切り替えた後のタンク給水時であって、タンク２０内の水位４００が止水位４０４よりも高い時のタンク２０内の様子を模式的に示す図である。図１３は、本第三実施形態に係る水洗大便器装置において、洗浄時の動作が開始されてからの時間経過に伴うタンク２０内の水位４００の変化を示すグラフである。尚、図１２では、後述するサイホンの流れを把握し易くするため、タンク２０内の水をハッチングで示している。
【００９９】
図１２及び図１３に示すように、本第三実施形態に係る水洗大便器装置のスロート管３２０Ａは、タンク２０内の水位４００が止水位４０４を超えるとスロート管３２０Ａ内部でサイホンが発生するよう構成されている。具体的には、スロート管３２０Ａが逆Ｕ字形状に構成されており、かつ、タンク２０内の水位が止水位４０４を越えた際にはスロート内部に空気が流入しない密閉した構成となっている。
【０１００】
尚、図１３中の一点鎖線は、第二実施形態に係る水洗大便器装置のスロート管３２０Ａがタンク２０内の水位４００が止水位４０４を超えてもスロート管３２０Ａ内部でサイホンが発生しないよう構成されている場合の、タンク２０内の水位４００である。また、図１３中のＸ点はオーバーフローの開始を示す点であり、Ｙ点はサイホンの開始を示す点である。
【０１０１】
仮に、止水機構が故障した場合にサイホンを発生させないとすると、タンク２０への給水流量とスロート管３２０Ａからの排出水量とがバランスするまでタンク２０内の水位は上昇し続ける（スロート管３２０Ａからの排出流量はタンク２０内水位が上昇するにつれて大きくなる）。タンク２０内水位の上限水位（バランスする水位）を低くするには、スロート管３２０Ａの内部から排出する水量を多くする必要があり、水量を多くするためにはスロート管３２０Ａの径を大きくしなければならない。しかし、スロート管３２０Ａを大きくすると便器給水時におけるジェットポンプ作用の低下を招く可能性があり、ひいては、便器の洗浄性能が低下することになる。
これに対し、止水位４０４を超えるとサイホンが発生するため、タンク２０内の水位が、タンク２０への給水流量とスロート管からの排出水量とがバランスする水位に到達する前にサイホン作用によりタンク２０内の貯水がスロート管３２０Ａを介して排出される。さらには、サイホン作用によってオーバーフロー水量が増加することによりタンク２０内水位が減少させられる。この結果、スロート管３２０Ａの径を大きくすることなく、タンク２０内の水位をより確実に減少させることができ、タンク２０内の水位が上昇し続けてタンク２０内からタンク２０外に水が溢れ出すことがない。
【０１０２】
＜第四実施形態＞
次に、本発明の第四実施形態に係る水洗大便器装置について説明する。本第四実施形態に係る水洗大便器装置は、ジェット水の供給先を大便器本体１０からタンク２０へと切り替える流路切り換え部材の構成が第一実施形態の流路切り換え部材３５０の構成と異なる。その他の本第四実施形態に係る水洗大便器装置の構成については、第一実施形態と同様である。
【０１０３】
図１４は、本第四実施形態に係る水洗大便器装置の流路切り換え部材３５０Ｂの断面図である。
【０１０４】
図１４に示すように、流路切り換え部材３５０Ｂは、棒状の部材であって、その長手方向に沿った一端にはフロート３５１を有しており、他端には切り換え板３５２Ｂを有している。そして、流路切り換え部材３５０Ｂは、フロート３５１と切り換え板３５２Ｂとの間の部分が、上昇部３２２の下端近傍に対して回転自在な状態で取り付けられている。
【０１０５】
切り換え板３５２Ｂには、タンク給水時において、タンク２０内の水が止水位４０４に到達するまではスロート管３２０の内部の水が大便器本体１０側に排出されないよう、ジェット水の一部をスロート管３２０内部に流入させることで、スロート管３２０の内部の水位４００Ａをタンク２０内の水位４００よりも高くする水位上昇手段４１２が設けられている。
【０１０６】
この水位上昇手段４１２は、切り換え板３５２Ｂと一体又は別体であってもよいが、例えば第四実施形態では切り換え板３５２Ｂと一体となっている。水位上昇手段４１２は、ジェット水の一部をスロート管３２０内部に流入する構成であれば特に限定されず、例えばジェット水が通ってスロート管３２０内部に流入するような一又は複数の穴を有した構成であったり、ジェット水の一部をスロート管３２０の内壁面に衝突させる構成であったりしてもよい。水位上昇手段４１２は、例えば第四実施形態では、ジェット水の一部をスロート管３２０の内壁面に衝突させる構成である。このような構成は、例えば切り換え板３５２Ｂの先端出口４１４の一部をスロート管３２０の内壁面と対向させることで実現できる。
【０１０７】
図１５は、本第四実施形態に係る流路切り換え部材３５０Ｂがジェット水の供給先を大便器本体１０からタンク２０へと切り替えた後のタンク給水時であって、タンク２０内の水位４００が止水位４０４よりも低い時のタンク２０内の様子を模式的に示す図である。図１６は、本第四実施形態に係る流路切り換え部材３５０Ｂがジェット水の供給先を大便器本体１０からタンク２０へと切り替えた後のタンク給水時であって、タンク２０内の水位４００が止水位４０４よりも高い時（異常時）のタンク２０内の様子を模式的に示す図である。図１７は、洗浄時の動作が開始されてからの時間経過に伴うタンク２０内の水位４００の変化を示すグラフである。尚、図１７中のＶ点は第四実施形態に係る水洗大便器装置においてオーバーフローの開始を示す点であり、図１７中のＷ点は第一実施形態に係る水洗大便器装置においてオーバーフローの開始を示す点である。
【０１０８】
本第四実施形態に係る水洗大便器装置によれば、図１５に示すように、水位上昇手段４１２によってタンク給水時においてジェット水の一部がスロート管３２０内部に流入することで、スロート管３２０の内部の水位４００Ａをタンク２０内の水位４００よりも高くすることができる。この結果、図１６に示すように、タンク２０内の水位４００が低い状態でもオーバーフローを発生させることができる。したがって、タンク２０内の水が排出され始める水位４００を低くすることができるため（図８参照）、タンク２０の高さを低くすることができ、もってタンク２０の小型化をすることができる。
【０１０９】
また、本第四実施形態に係る水洗大便器装置では、水位上昇手段４１２が、ジェット水の一部をスロート管３２０の内壁面に衝突させるよう構成されているため、流速の速いジェット水であっても確実に減速させることができる。この結果、大便器本体１０側へ水を排出することなくスロート管３２０内の水位４００Ａをタンク２０内の水位４００よりも高くすることができる。そして、スロート管３２０内の水位４００Ａを高くすることで、図１７に示すように、オーバーフローを早期に発生させることができる。
【０１１０】
以上、具体例を参照しつつ本発明の複数の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１１１】
１０：大便器本体
２０：タンク
３１０：ノズル
３２０，３２０Ａ：スロート管
３２１：吸引口
３５０，３５０Ａ，３５０Ｂ：流路切り換え部材（進行方向切替部）
３５４：タンク水流入空間
４００：タンク内の水位
４００Ａ：フロート管の水位
４０４：止水位
４０６：オーバーフロー水位
４１０：水位低下抑制手段
４１２：水位上昇手段
ＦＴ：水洗大便器装置
【図１】
2015068067.tif 000003
【図２】
2015068067.tif 000004
【図３】
2015068067.tif 000005
【図４】
2015068067.tif 000006
【図５】
2015068067.tif 000007
【図６】
2015068067.tif 000008
【図７】
2015068067.tif 000009
【図８】
2015068067.tif 000010
【図９】
2015068067.tif 000011
【図１０】
2015068067.tif 000012
【図１１】
2015068067.tif 000013
【図１２】
2015068067.tif 000014
【図１３】
2015068067.tif 000015
【図１４】
2015068067.tif 000016
【図１５】
2015068067.tif 000017
【図１６】
2015068067.tif 000018
【図１７】
2015068067.tif 000019